(57)【要約】【課題】幅広い態様で使用可能な電気泳動表示装置及び電子機器を提供すること。【解決手段】対向配置された第１基板及び第２基板と、第１基板と第２基板とに挟持された電気泳動物質層と、第１基板上の所定の領域に設けられた画素電極と、第１基板上の所定の領域以外の領域に設けられた光検知素子と、第１基板と第２基板との間に設けられ、第２基板の外面からの光を光検知素子に伝送する光伝送路とを具備することとしたので、第２基板の外面からの光は電気泳動物質層によって遮られること無く光伝送路を介して光検知素子に到達することとなる。これにより、表示機能のみならず高性能の光検知機能をも備え、幅広い態様で使用可能な電気泳動表示装置を得ることができる。【選択図】図２
2008268342.tif 000002
【特許請求の範囲】
【請求項１】
対向配置された第１基板及び第２基板と、
前記第１基板と前記第２基板とに扶持された電気泳動物質層と、
前記第１基板及び前記第２基板に設けられた画素領域と、
前記第１基板上の前記画素領域または前記画素領域に隣接して設けられた光検知素子と、
前記第１基板と前記第２基板との間に設けられ、前記第２基板の外面からの光を前記光検知素子に伝送する光伝送路と
を具備することを特徴とする電気泳動表示装置。
【請求項２】
前記画素領域が複数設けられており、
前記光検知素子及び前記光伝送路が所定の数の画素領域ごとに設けられている
ことを特徴とする請求項１に記載の電気泳動表示装置。
【請求項３】
前記光伝送路が、前記光検知素子に平面視で重なる位置に配置されている
ことを特徴とする請求項１又は請求項２に記載の電気泳動表示装置。
【請求項４】
前記光伝送路が、前記第２基板の外面からの光を透過可能な材料からなる
ことを特徴とする請求項１乃至請求項３のうちいずれか一項に記載の電気泳動表示装置。
【請求項５】
前記光伝送路が、前記第２基板の前記電気泳動物質層側の表面よりも前記第１基板側の方が広くなっている
ことを特徴とする請求項１乃至請求項４のうちいずれか一項に記載の電気泳動表示装置。
【請求項６】
前記電気泳動物質層が、溶媒に電気泳動物質を分散させた液状組成物からなり、
前記画素領域内に画素電極が設けられており、
前記画素領域を囲うと共に少なくとも一部が前記光検知素子に平面視で重なるように配置された隔壁が設けられており、
前記隔壁が前記光伝送路を兼ねている
ことを特徴とする請求項１乃至請求項５のうちいずれか一項に記載の電気泳動表示装置。
【請求項７】
請求項１乃至請求項６のうちいずれか一項に記載の電気泳動表示装置を備えたことを特徴とする電子機器。
【発明の詳細な説明】
【技術分野】
【０００１】
本発明は、電気泳動表示装置及び電子機器に関する。
【背景技術】
【０００２】
液体中に分散した帯電粒子が電界印加により泳動する電気泳動現象の応用として、電気泳動表示装置が知られている（例えば、特許文献１参照）。電気泳動表示装置は、対向する一対の基板によって、帯電した微粒子を溶媒に分散させた電気泳動物質層を挟持する構成になっている。近年では、アクティブマトリクス型の電気泳動表示装置が主流になっている。
【０００３】
アクティブマトリクス型の電気泳動表示装置は、通常、一対の基板のうち表示側の基板の内面に共通電極が設けられており、当該表示側基板に対向する基板には画素電極やスイッチング素子、配線などが設けられた構成になっている。スイッチング素子や配線が存在するとその分開口率が低くなるため、このようなスイッチング素子や配線を表示側基板に対向する基板に配置することで観測側基板の開口率の低下を回避している。
【０００４】
電気泳動表示装置は、例えば帯電粒子が負に帯電している場合、画素電極と共通電極との間に電界を発生させると、帯電粒子は電界の方向とは逆の方向に移動する。帯電粒子が共通電極の表面に移動した場合、表示側ではこの帯電粒子の色が着色されたように見える。帯電粒子が画素電極の表面に移動した場合、表示側では溶媒の色が着色されたように見える。
【０００５】
例えば複数の画素についてこのような構成を設けて、電子インクの帯電粒子の移動を画素毎に制御することにより、静止画や動画等の画像を表示することが可能となっている。近年では、電子インクをマイクロカプセル内に充填させた電気泳動表示装置も知られている。
【０００６】
このような電気泳動表示装置は、一定期間表示を保持しておくことができるという特性を有することから、電子ペーパーへの適用が提案されている。電子ペーパーへの適用例としては、例えば電子手帳などが挙げられる。電気泳動表示装置を電子手帳に適用する際、電子手帳の使用態様に鑑みると、表示を視認するのみならず手書き入力機能を有していることが望ましい。この手書き入力機能を実現する技術としては、例えばアクティブマトリクス表示装置において画素電極やスイッチング素子が配置されたアレイ基板にフォトダイオード等の光センサを設けた構成が知られている（例えば、特許文献２参照）。  
【特許文献１】特開２００５−１４８７１１号公報
【特許文献２】特開平１１−７５１１５号公報
【発明の開示】
【発明が解決しようとする課題】
【０００７】
しかしながら、電気泳動表示装置は、帯電粒子又は分散媒を観察する構成になっているため、表示側基板の光は帯電粒子や分散媒によって遮られるため、アレイ基板にはほとんど到達しない。光センサが単にアレイ基板側に配置されているだけの構成では、表示側基板からの光を光センサに到達させるのが困難である。このため、電気泳動表示装置の使用態様の幅を広げることが困難になってしまう。
【０００８】
以上のような事情に鑑み、本発明の目的は、幅広い態様で使用可能な電気泳動表示装置及び電子機器を提供することにある。
【課題を解決するための手段】
【０００９】
上記目的を達成するため、本発明に係る電気泳動表示装置は、対向配置された第１基板及び第２基板と、前記第１基板と前記第２基板とに扶持された電気泳動物質層と、前記第１基板及び前記第２基板に設けられた画素領域と、前記第１基板上の前記画素領域または前記画素領域に隣接して設けられた光検知素子と、前記第１基板と前記第２基板との間に設けられ、前記第２基板の外面からの光を前記光検知素子に伝送する光伝送路とを具備することを特徴とする。
【００１０】
本発明によれば、対向配置された第１基板及び第２基板と、この第１基板と第２基板とに挟持された電気泳動物質層と、第１基板及び第２基板に設けられた画素領域と、第１基板上の画素領域または画素領域に隣接して設けられた光検知素子と、第１基板と第２基板との間に設けられ、第２基板の外面からの光を光検知素子に伝送する光伝送路とを具備することとしたので、第２基板の外面からの光は電気泳動物質層によって遮られること無く光伝送路を介して光検知素子に到達することとなる。これにより、表示機能のみならず高性能の光検知機能をも備え、幅広い態様で使用可能な電気泳動表示装置を得ることができる。光伝送路については、光検知素子が検知しうる程度の強度の光を当該光検知素子に伝送することが可能であればどのような態様であっても良く、例えば光透過可能な部材であっても良いし、空気の路であっても構わない。
【００１１】
上記の電気泳動表示装置は、前記画素領域が複数設けられており、前記光検知素子及び前記光伝送路が所定の数の画素領域ごとに設けられていることを特徴とする。  
一般に、手書きなどの書き込みに求められる解像度は、表示に求められる解像度に比べて低いことが知られている。本発明によれば、画素領域が複数設けられており、光検知素子及び光伝送路が所定の数の画素領域ごとに設けられていることとしたので、１つの画素領域ごとに光検知素子及び光伝送路を設ける場合に比べて、書き込みの精度を維持しつつ開口率を向上させることができる。
【００１２】
ここで、「所定の数」については、書き込みに求められる解像度を維持するように設定することが好ましい。例えば、画素電極のピッチが１００μｍであり、書き込みに求められる解像度が２００μｍである場合には、２つの画素電極に対して１つの光検知素子を設けるようにすれば良い。
【００１３】
上記の電気泳動表示装置は、前記光伝送路が、前記光検知素子に平面視で重なる位置に配置されていることを特徴とする。  
本発明によれば、光伝送路が光検知素子に平面視で重なる位置に配置されていることとしたので、光検知素子に光を伝送しやすくすることができる。加えて、光伝送路に入射する光の入射位置と光検知素子の位置とがほぼ一致するため、光の入射位置を特定しやすいという利点もある。
【００１４】
上記の電気泳動表示装置は、前記光伝送路が、前記第２基板の外面からの光を透過可能な材料からなることを特徴とする。  
本発明によれば、光伝送路が、第２基板の外面からの光を透過可能な材料からなることとしたので、例えば空洞にする場合に比べて光伝送路の形状を確保することが容易になる。
【００１５】
上記の電気泳動表示装置は、前記光伝送路が、前記第２基板の前記電気泳動物質層側の表面よりも前記第１基板側の方が広くなっていることを特徴とする。  
本発明によれば、光伝送路が、第２基板の電気泳動物質層側の表面よりも第１基板側の方が広くなっているので、画素電極が設けられた第１基板側よりも表示側である第２基板側の方が開口率が高くなる。このため、コントラストの高い表示が可能となる。
【００１６】
上記の電気泳動表示装置は、前記電気泳動物質層が、溶媒に電気泳動物質を分散させた液状組成物からなり、前記画素領域内に画素電極が設けられており、前記画素領域を囲うと共に少なくとも一部が前記光検知素子に平面視で重なるように配置された隔壁が設けられており、前記隔壁が前記光伝送路を兼ねていることを特徴とする。  
本発明によれば、電気泳動物質層が溶媒に電気泳動物質を分散させた液状組成物からなる場合において、画素領域内に画素電極が設けられており、画素領域を囲うと共に少なくとも一部が光検知素子に平面視で重なるように配置された隔壁が設けられており、この隔壁が光伝送路を兼ねていることとしたので、別途光伝送路を設ける構成に比べて開口率を向上させることができる。
【００１７】
本発明に係る電子機器は、上記の電気泳動表示装置を備えたことを特徴とする。  
本発明によれば、表示機能のみならず高性能の光検知機能をも備え、幅広い態様で使用可能な電気泳動表示装置を搭載したので、多くの態様で利用可能な電子機器を得ることができる。
【発明を実施するための最良の形態】
【００１８】
［第１実施形態］  
本発明の第１実施形態を図面に基づき説明する。  
図１は、本実施形態に係る電気泳動表示装置１の構成を示す模式図である。  
同図に示すように、電気泳動表示装置１は、表示部２と、データ線駆動回路３と、走査線駆動回路４と、データ線５と、走査線６とを有する構成になっている。本実施形態の電気泳動表示装置１は、静止画や動画等の画像を表示すると共に、光ペンなどによる書き込みを認識することができるようになっている。電気泳動表示装置１には、外部の制御回路などが取り付けられている。
【００１９】
表示部２は、画像を表示する部分である。表示部２の形状は、例えば平面視で矩形になっており、図中縦方向に短手方向、図中横方向に長手方向を有している。表示部２には、画素領域７がマトリクス状に設けられている。画素領域７内には、表示を行うドット領域７ａと、表示部２に入射する光のうち所定の強さの光を検知する光検知領域７ｂとが設けられている。
【００２０】
データ線駆動回路３は、データ線５にデータ線駆動信号を供給する回路であり、表示部２の外側の領域に当該表示部２の長手方向に沿って設けられている。走査線駆動回路４は、走査線６に走査線駆動信号を供給する回路であり、表示部２の外側の領域に当該表示部２の短手方向に沿って設けられている。
【００２１】
データ線５は、データ線駆動回路３からのデータ線駆動信号をドット領域７ａに伝達する配線であり、マトリクス状に配列された画素領域７の間の領域を表示部２の短手方向に延在するように設けられている。
【００２２】
走査線６は、走査線駆動回路４からの走査線駆動信号をドット領域７ａに伝達する配線であり、マトリクス状に配列された画素領域７の間の領域を表示部２の長手方向に延在するように設けられている。
【００２３】
図２は、電気泳動表示装置１の表示部２の構成を示す断面図である。  
同図に示すように、表示部２は、素子基板（第１基板）１０と、表示基板（第２基板）２０と、マイクロカプセル（電気光学物質）３０と、光伝送部材（光伝送路）４０とを主体として構成されている。素子基板１０と表示基板２０とは、対向して配置されている。マイクロカプセル３０と光伝送部材４０とは、同一の層（電気泳動物質層）に設けられている。表示部２は、対向配置された素子基板１０及び表示基板２０によって、マイクロカプセル３０と光伝送部材４０とからなる層が挟持された構成になっている。
【００２４】
素子基板１０は、基材１０ａと、画素駆動回路１３と、光検知素子１２と、絶縁層１４と、共通電極２１とを主体として構成されている。  
基材１０ａは、例えばガラスやプラスチックなどの材料からなる矩形の基板である。
【００２５】
画素駆動回路１３は、基材１０ａの内面（表示基板２０との対向面）に設けられており、画素電極１１に駆動信号を供給する回路である。画素駆動回路１３には図示しないスイッチング素子が設けられており、当該スイッチング素子を介してデータ線５に電気的に接続されている。
【００２６】
光検知素子１２は、基材１０ａの内面に画素駆動回路１３と同一の層に設けられており、光信号を電気信号に変換する光電素子である。光信号によって生じた電気信号は、例えば画素駆動回路１３に送信されるようになっている。光検知素子１２としては、例えば特開２００５−３４０２６５号公報又は特開平５−２８１５１６号公報に記載されているフォトダイオードを用いた画素回路や、特開２００５−０８５２６５号公報に記載されているフォトトランジスタ、特開平５−１３６３９１号公報に記載されている感光性材料などが挙げられる。この光検知素子１２は、１つの画素領域７内に１つずつ設けられている。
【００２７】
光検知素子１２が設けられた平面視での領域が上記の光検知領域７ｂとなる。画素領域７のうち光検知素子１２の占める領域が大きいほど画素電極１１の占める領域が小さくなり、開口率が低下することになる。したがって、光検知素子１２としては極力面積の小さい光電素子を用いることが好ましい。
【００２８】
絶縁層１４は、例えばＳｉＯ２やＳｉＮなどの無機物からなり、画素駆動回路１３及び光検知素子１２を含んだ基材１０ａの表面のほぼ全面を覆うように設けられている。絶縁層１４のうち画素駆動回路１３に平面視で重なる部分には、図示しないコンタクトホールが設けられている。当該コンタクトホールによって、画素駆動回路１３と画素電極１１とが電気的に接続されている。
【００２９】
画素電極１１は、金属やＩＴＯ（Indium Tin Oxide）などの導電性を有する材料からなる電極であり、絶縁層１４の表面に設けられている。画素駆動回路１３に電気的に接続されており、当該画素駆動回路１３からの信号が供給されるようになっている。画素電極１１は、一つの画素領域７内に１つずつ設けられている。画素電極１１が設けられる平面視での領域が上記のドット領域７ａとなる。
【００３０】
表示基板２０は、カバー部材２０ａと、共通電極２１とを主体として構成されている。カバー部材２０ａは、例えばプラスチックなどの光透過可能な材料からなる矩形の基板である。共通電極２１は、カバー部材２０ａの内面（素子基板１０との対向面）の全面に亘って形成されている。共通電極２１は、光を透過可能な導電材料、例えばＩＴＯなどからなる電極であり、画素電極１１との間で電圧を印加可能になっている。
【００３１】
マイクロカプセル３０は、例えば５０μｍ程度の粒径を有するカプセルであり、例えばポリメタクリル酸メチル、ポリメタクリル酸エチル等のアクリル樹脂、ユリア樹脂、アラビアゴム等の光透過可能な高分子樹脂からなる。表示部２のドット領域７ａ内に複数のマイクロカプセル３０が縦横に配列された構成になっている。
【００３２】
光伝送部材４０は、光を透過可能な材料からなる柱状の光透過部材である。可視光のみを透過する材料のみならず、赤外線など他の波長域の光を透過する材料であっても構わない。光透過性については、１００％に近い光透過性を有している必要は無く、光検知素子１２が検知できる程度の光透過性を有していれば良い。光伝送部材４０の材料としては、例えばアクリル樹脂、ＰＥＴ、ＰＥＳなどの樹脂材料や、ＳｉＯ２などの無機材料などを用いることができる。この光伝送部材４０は、光検知素子１２に平面視で重なる領域に設けられている。表示基板２０側からの光の入射位置と光検知素子１２の位置とがほぼ一致するようになっているため、光の入射位置が特定しやすい構成になっている。
【００３３】
この光伝送部材４０は、平面視で光検知素子１２の設けられた領域よりも広い領域に設けられており、表示基板２０において広い領域を伝送することができるようになっている。このとき、光伝送部材４０内に入射した光が当該光伝送部材４０の外側に漏れないように、光伝送部材４０内の光屈折率を当該光伝送部材４０に接する領域の光屈折率よりも高くしておくことが好ましい。光伝送部材４０と当該光伝送部材４０に接する領域との間の屈折率差によって光伝送部材４０内を進行する光が境界で内部に反射されるため、光検知素子１２に容易に到達するようになっている。
【００３４】
図３は、マイクロカプセル３０の構成を示す図である。  
マイクロカプセル３０の内部には、分散剤（溶媒）３１と、分散質としての帯電粒子（白色粒子３２及び黒色粒子３３）とが封入されている。
【００３５】
分散剤３１は、例えば水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩又はその他の種々の油類等の単独又はこれらの混合物に界面活性剤等を配合したものからなり、白色粒子３２と黒色粒子３３とを分散させる液体である。
【００３６】
白色粒子３２及び黒色粒子３３は、分散剤３１中で電位差による電気泳動により移動する性質を有している。  
白色粒子３２は、例えば、二酸化チタン、亜鉛華、三酸化アンチモン等の白色顔料からなる粒子（高分子あるいはコロイド）であり、例えば負に帯電されている。  
黒色粒子３３は、例えば、アニリンブラック、カーボンブラック等の黒色顔料からなる粒子（高分子あるいはコロイド）であり、例えば正に帯電されている。
【００３７】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００３８】
図４は、光ペン５０の構成を示す図である。  
同図に示すように、光ペン５０は、筐体５１と、発光部５２と、スイッチ５３とを主体として構成されている。
【００３９】
筐体５１は、例えばプラスチックなどからなり、内部に電源５４と、駆動回路５５とが収容されている。電源５４は、発光部５２を発光させるための電源である。駆動回路５５は、電源５４がオンになったときに発光部５２に発光信号を供給するようになっている。
【００４０】
発光部５２は、筐体５１の先端に取り付けられており、例えば発光ダイオードなどからなり、駆動回路５５からの発光信号によって発光するようになっている。
【００４１】
スイッチ５３は、駆動回路の一部を遮断したり接続したりすることが可能になっており、当該遮断及び接続によって回路の接続を電源５４のオン・オフを切り替え可能になっている。
【００４２】
図５は、ＵＶ硬化性樹脂によって構成された光伝送部材４０の形成工程を示す図である。  
光伝送部材４０を形成する際には、まず、基材１０ａ上に画素駆動回路１３及び光検知素子１２を形成し、当該基材１０ａ上に絶縁層１４を形成し、絶縁層１４上に画素電極１１を形成する（図５（ａ））。
【００４３】
次に、例えばＵＶ硬化型エポキシ樹脂などの樹脂材料を、スピンコート法、ドクターブレード法などの方法によって絶縁層１４上及び画素電極１１上に塗布して、樹脂材料層６０を形成する（図５（ｂ））。
【００４４】
次に、光検知素子１２に平面視で重なる領域に開口部６１ａが設けられたメタルマスク６１を樹脂材料層６０上に被せて、当該メタルマスク６１の情報からＵＶを照射する。開口部６１ａが設けられているため、光検知素子１２の上方に選択的にＵＶが照射されることになり、当該光検知素子１２の上方の樹脂材料層６０ａが部分的に硬化する（図５（ｃ））。ＵＶが照射されなかった樹脂材料層６０ｂ（メタルマスク６１で覆われた部分）は、硬化していない状態になっている。
【００４５】
その後、ＵＶが照射されなかった樹脂材料層６０ｂを溶剤などによって除去すると、図５（ｄ）に示すように、光伝送部材４０が得られる。  
材料によっては、他の方法で上記光伝送部材４０を形成することができる。例えば樹脂材料を用いる場合、上記の塗布法のほか、スパッタリング法によって形成することができる。無機物を用いる場合、ＣＶＤ法やゾルゲル法などによって形成することができる。
【００４６】
次に、電気泳動表示装置１の動作を説明する。  
まず、上記のように構成されたマイクロカプセル３０の動作を説明する。  
画素電極１１と共通電極２１との間で相対的に画素電極１１の電圧が高くなるように電圧を印加すると、図６に示すように、正に帯電された黒色粒子３３はクーロン力によってマイクロカプセル３０内の画素電極側に引き寄せられる。一方、負に帯電された白色粒子３２はクーロン力によってマイクロカプセル３０内の共通電極２１に引き寄せられる。この結果、マイクロカプセル３０内の表示面側には白色粒子３２が集まることになり、表示面にはこの白色粒子３２の色（白色）が表示されることとなる。
【００４７】
逆に、画素電極１１と共通電極２１との間に相対的に画素電極１１の電位が高くなるように電圧を印加すると、図７に示すように、負に帯電された白色粒子３２がクーロン力によって画素電極１１側に引き寄せられる。逆に、正に帯電された黒色粒子３３はクーロン力によって共通電極２１側に引き寄せられる。この結果、マイクロカプセル３０内の表示面側には黒色粒子３３が集まることになり、表示面にはこの黒色粒子３３の色（赤色、緑色、青色又は黒色）が表示されることとなる。
【００４８】
次に、電気泳動表示装置１及び光ペン５０の動作を説明する。  
まず、電気泳動表示装置１の表示部２は全白状態になっている。この表示部２を観察している観者が光ペン５０のスイッチ５３をオンに切り替えると、発光部５２が発光状態になる。観者が光ペン５０の発光部５２を発光状態にし、電気泳動表示装置１の表示部２に発光部５２を近づけると、発光部５２からの光Ｌが表示基板２０へ向けて照射される。
【００４９】
この状態から観者が発光部５２で表示部２をなぞるように動かすと、発光部５２と光伝送部材４０の設けられた領域とが重なったときに、図８に示すように、発光部５２からの光Ｌが表示部２の光伝送部材４０内に入射する。この光Ｌは、表示基板２０側から素子基板１０側へ光伝送部材４０内を伝わり、絶縁層１４を介して光検知素子１２に入射する。光検知素子１２に光が入射することで、光検知素子１２内で電気信号が発生する。
【００５０】
光検知素子１２内で発生した電気信号は、例えば図示しない外部の制御回路（図示されていない）へ送信される。当該外部の制御回路では、どの画素領域の光検知素子１２に光が照射されたかを判断し、この判断に基づいて、例えばペンの軌跡を画像として表示するなどの処理を行うように設定しておく。
【００５１】
このように、本実施形態によれば、対向配置された素子基板１０と表示基板２０との間にマイクロカプセル３０が挟持された電気泳動表示装置１において、画素領域７内に光検知素子１２が設けられており、さらに素子基板１０と表示基板２０との間に光伝送部材４０が設けられた構成としたので、例えば光ペン５０の発光部５２からの光が光伝送部材４０を介して光検知素子１２に到達することとなる。これにより、表示機能のみならず高性能の光検知機能をも備え、幅広い態様で使用可能な電気泳動表示装置１を得ることができる。
【００５２】
［第２実施形態］  
次に、本発明の第２実施形態を説明する。本実施形態では、電気泳動表示装置１０１の表示部１０２において光伝送部材１４０の構成が第１実施形態とは異なっている。具体的には、図９に示すように、光伝送部材１４０が、断面視で表示基板１２０から素子基板１１０にかけて幅（基板面方向の寸法）が広がるように設けられている。したがって、光伝送部材１４０のうち表示基板１２０上における幅ｔ１よりも、素子基板１１０上における幅ｔ２の方が大きくなっている。
【００５３】
このように、本実施形態によれば、光伝送部材１４０のうち表示基板１２０上における幅ｔ１よりも、素子基板１１０上における幅ｔ２の方が大きくなっているので、素子基板１１０上よりも表示基板１２０上の方が開口率が高くなる。このため、コントラストの高い表示が可能となる。
【００５４】
［第３実施形態］  
次に、本発明の第３実施形態を説明する。本実施形態では、電気泳動表示装置２０１の表示部２０２において光検知素子２１２の配置が第１実施形態とは異なっている。具体的には、図１０に示すように、光検知素子２１２が、複数の画素領域２０７ごと、例えば図では３つの画素領域２０７ごとに１つずつ設けられている。光検知素子２１２に平面視で重なる位置に設けられる光伝送部材２４０についても、当該光検知素子２１２と同様の配置になっている。
【００５５】
表示装置においては、一般に、手書きなどの書き込みに求められる解像度は、表示に求められる解像度に比べて低いことが知られている。本実施形態によれば、光検知素子２１２及び光伝送部材２４０が複数の画素領域ごとに設けられていることとしたので、１つの画素領域２０７ごとに光検知素子２１２及び光伝送部材２４０を設ける場合に比べて、書き込みの精度を維持しつつ開口率を向上させることができる。
【００５６】
［第４実施形態］  
次に、本発明の第４実施形態を説明する。本実施形態では、電気泳動表示装置３０１の表示部３０２において電気泳動物質層３３０の構成が第１実施形態とは異なっている。具体的には、図１１に示すように、電気泳動物質層３３０は、マイクロカプセルが設けられておらず、分散媒３３１に白色粒子３３２と黒色粒子３３３とが分散された状態になっている。各画素領域は、光伝送機能を有する隔壁３４０によって区切られている。隔壁３４０は、第１実施形態と同様、光透過可能な樹脂材料などからなり、平面視で一部が光検知手段３１２に重なる位置に配置されている。
【００５７】
本実施形態によれば、電気泳動物質層３３０が分散媒３３１に白色粒子３３２及び黒色粒子３３３を分散させた液状組成物からなる場合において、画素領域を囲う隔壁３４０が一部が光検知手段３１２に平面視で重なる位置に配置されており、この隔壁３４０が光伝送機能を有している、すなわち光伝送部材を兼ねていることとしたので、別途光伝送部材を設ける構成に比べて開口率を向上させることができる。
【００５８】
［第５実施形態］
次に、本発明の第５実施形態係る電子機器について、電子ブックを例に挙げて説明する。  
図１２は、電子ブックの構成を示す斜視図である。  
同図に示すように、電子ブック４３１は、ブック形状のフレーム４３２と、このフレーム４３２に開閉可能なカバー４３３とを有する。フレーム４３２には、その表面に表示面を露出させた状態で表示部４３４が設けられ、さらに、操作部４３５が設けられている。フレーム４３２の内部には、コントローラ、カウンタ及びメモリも内蔵されている。この表示部４３４として、上記の電気泳動表示装置１〜３０１が搭載されている。  
このように、表示機能のみならず高性能の光検知機能をも備え、幅広い態様で使用可能な電気泳動表示装置１〜３０１が搭載されているので、多くの態様で利用可能な電子ブック４３１を得ることができる。
【００５９】
本発明の技術範囲は上記実施形態に限定されるものではなく、本発明の趣旨を逸脱しない範囲で適宜変更を加えることができる。  
例えば、上記実施形態では光伝送路として光伝送部材を用いた構成を説明したが、これに限られることは無く、例えば光伝送部材を用いない空気層であっても良い。また、光硬化性のポリマーなどの材料を光伝送路として用いても良い。光硬化性ポリマーを用いる場合、光が繊維状に伝送されるため、必ずしも光検知素子に平面視で重なる位置に配置する必要は無く、所望の位置に配置することができるという利点がある。
【００６０】
上記各実施形態では、白色粒子３２と黒色粒子３３とを用いて白黒表示を行う電気泳動表示装置１を例に挙げて説明したが、これに限られるものではなく、例えば黒色粒子３３のほかに赤色、緑色、青色、黄色などの着色粒子を用いてフルカラー表示を行う電気泳動表示装置であっても本発明の適用は可能である。
【図面の簡単な説明】
【００６１】
【図１】本発明の第１実施形態に係る電気泳動表示装置の模式的な構成を示す図。
【図２】電気泳動表示装置の構成を示す断面図。
【図３】マイクロカプセルの構成を示す断面図。
【図４】光ペンの構成を示す図。
【図５】光伝送部材の製造過程を示す工程図。
【図６】マイクロカプセルの動作を示す図（その１）。
【図７】マイクロカプセルの動作を示す図（その２）。
【図８】電気泳動表示装置の動作を示す図。
【図９】本発明の第２実施形態に係る電気泳動表示装置の構成を示す断面図。
【図１０】本発明の第３実施形態に係る電気泳動表示装置の画素領域の配列を示す図。
【図１１】本発明の第４実施形態に係る電気泳動表示装置の構成を示す断面図。
【図１２】本発明の第５実施形態に係る電子ブックの構成を示す斜視図。
【符号の説明】
【００６２】
１〜３０１…電気泳動表示装置  ２…表示部  ７…画素領域  １０…素子基板  １１…画素電極  １２…光検知素子  １３…画素駆動回路  ２０…表示基板  ２１…共通電極  ３０…マイクロカプセル  ４０…光伝送部材  ５０…光ペン  ３４０…隔壁  ４３１…電子ブック  ４３４…表示部
【図１】
2008268342.tif 000003
【図２】
2008268342.tif 000004
【図３】
2008268342.tif 000005
【図４】
2008268342.tif 000006
【図５】
2008268342.tif 000007
【図６】
2008268342.tif 000008
【図７】
2008268342.tif 000009
【図８】
2008268342.tif 000010
【図９】
2008268342.tif 000011
【図１０】
2008268342.tif 000012
【図１１】
2008268342.tif 000013
【図１２】
2008268342.tif 000014